(57)【特許請求の範囲】
【請求項１】
サービス制御方法であって、
端末によって、前記端末とネットワークとの間のインタラクションのサービス状態及び前記端末の移動速度を測定するステップと、
前記端末によって、測定されたサービス状態情報及び速度情報をネットワークデバイスに通知するステップであって、その結果、前記ネットワークデバイスは前記サービス状態情報及び前記速度情報に基づいて前記端末のネットワークパラメータを構成する、ステップと
を含み、
前記ネットワークパラメータは、接続された間欠受信CDRXパラメータを含み、前記CDRXパラメータは、CDRXサイクルを含み、
前記ネットワークデバイスは前記サービス状態情報及び前記速度情報に基づいて前記端末のネットワークパラメータを構成することは、
もし、前記速度情報に基づいて前記ネットワークデバイスによって決定された前記端末のCDRXパラメータが第1パラメータであり、かつ、前記サービス状態情報に基づいて前記ネットワークデバイスによって決定された前記端末のCDRXパラメータが第2パラメータである場合、前記ネットワークデバイスによって、前記端末の前記ネットワークパラメータを前記第1パラメータと前記第2パラメータとの間の小さい値に構成することを含む、方法。
【請求項２】
前記サービス状態情報は、前記端末の少なくとも1のサービスの開始情報及び前記端末の少なくとも1のサービスの停止情報の1又は任意の組み合わせを含む、請求項1に記載の方法。
【請求項３】
前記端末によって、測定されたサービス状態情報及び速度情報を、ネットワークデバイスに通知する前記ステップは、
前記端末によって、前記測定されたサービス状態情報及び速度情報を、前記ネットワークデバイスに周期的に通知するステップ、又は、
トリガ条件が満たされる場合、前記端末によって、前記測定されたサービス状態情報及び速度情報を、前記ネットワークデバイスに通知するステップ
を含む請求項1又は2に記載の方法。
【請求項４】
前記トリガ条件は、前記端末の少なくとも1つのサービスが開始されること、前記端末の少なくとも1つのサービスが停止されること、及び前記端末の速度が設定閾値を超えることの1又は任意の組み合わせを含む、請求項3に記載の方法。
【請求項５】
端末によって、前記端末とネットワークとの間のインタラクションのサービス状態及び前記端末の移動速度を測定する前記ステップの前に、
前記端末によって、前記ネットワークデバイスによって送信された通知要求を受信するステップであって、前記通知要求は、前記端末に前記サービス状態情報及び前記速度情報を通知するように指示するために使用される、ステップと、
前記端末によって、前記ネットワークデバイスによって送信された通知要求を受信する前記ステップの後に、
前記端末によって、通知応答を前記ネットワークデバイスに送信するステップであって、前記通知応答は、前記端末が前記通知要求を受信すること、及び/又は前記通知要求によって指示された通知動作が実行されるか否かを示すために使用される、ステップと
をさらに含む、請求項1〜4のいずれか一項に記載の方法。
【請求項６】
サービス制御方法であって、
ネットワークデバイスによって、端末によって通知された前記端末とネットワークとの間のインタラクションのサービス状態情報及び前記端末の移動速度情報を受信するステップと、
前記ネットワークデバイスによって、前記サービス状態情報及び前記速度情報に基づいて、前記端末のネットワークパラメータを構成するステップと
を含み、
前記ネットワークパラメータは、接続された間欠受信CDRXパラメータを含み、前記CDRXパラメータは、CDRXサイクルを含み、
前記ネットワークデバイスによって、前記サービス状態情報及び前記速度情報に基づいて前記端末のネットワークパラメータを構成する前記ステップは、
もし、前記速度情報に基づいて前記ネットワークデバイスによって決定された前記端末のCDRXパラメータが第1パラメータであり、かつ、前記サービス状態情報に基づいて前記ネットワークデバイスによって決定された前記端末のCDRXパラメータが第2パラメータである場合、前記ネットワークデバイスによって、前記端末の前記ネットワークパラメータを前記第1パラメータと前記第2パラメータとの間の小さい値に構成するステップ
を含むサービス制御方法。
【請求項７】
前記ネットワークパラメータは、サウンディングパラメータ、チャネル品質インジケータCQIパラメータ、及び周波数選択性チャネルの1又は任意の組み合わせをさらに含み、前記ネットワークデバイスによって、前記サービス状態情報及び前記速度情報に基づいて前記端末のネットワークパラメータを構成する前記ステップは、
前記ネットワークデバイスによって、前記速度情報に基づいて前記端末の速度を決定するステップ、静止状態における前記端末のサウンディングサイクルを増加させるステップ、及び第1設定閾値を超える速度を有する前記端末のサウンディングサイクルを減少させるステップ、又は、
前記ネットワークデバイスによって、前記速度情報に基づいて前記端末の速度を決定するステップ、第2設定閾値よりも小さい速度を有する前記端末のCDRXパラメータ又は休止端末のCDRXパラメータを増加させるステップ、及び前記第2設定閾値よりも大きい速度を有する前記端末のCDRXパラメータを減少させ又は前記CDRXパラメータを0に設定するステップ
をさらに含む、請求項6に記載の方法。
【請求項８】
ネットワークデバイスによって、端末によって通知された前記端末とネットワークとの間のインタラクションのサービス状態情報、及び前記端末の移動速度情報を受信する前記ステップの前に、
前記ネットワークデバイスによって、通知要求を前記端末に送信するステップであって、前記通知要求は、前記端末に前記サービス状態情報及び前記速度情報を通知するように指示するために使用される、ステップと、
前記ネットワークデバイスによって、通知要求を前記端末に送信する前記ステップの後に、
前記ネットワークデバイスによって、前記端末により送信される通知応答を受信するステップであって、前記通知応答は、前記端末が前記通知要求を受信すること、及び/又は前記通知要求によって指示された通知動作が実行されるか否かを示すために使用される、ステップと
をさらに含む、請求項6または7に記載の方法。
【請求項９】
インターフェースモジュールを備える端末であって、かつ、測定モジュール及びサービスモジュールの少なくとも1つをさらに備え、
前記サービスモジュールは、前記端末とネットワークとの間のインタラクションのサービス状態を測定するように構成され、
前記測定モジュールは、前記端末の移動速度を測定するように構成され、かつ
前記インターフェースモジュールは、測定されたサービス状態情報及び速度情報をネットワークデバイスに通知するように構成され、その結果、前記ネットワークデバイスは、前記サービス状態情報及び前記速度情報に基づいて前記端末のネットワークパラメータを構成し、
前記ネットワークパラメータは、接続された間欠受信CDRXパラメータを含み、前記CDRXパラメータは、CDRXサイクルを含み、
前記ネットワークデバイスは前記サービス状態情報及び前記速度情報に基づいて前記端末のネットワークパラメータを構成することは、
もし、前記速度情報に基づいて前記ネットワークデバイスによって決定された前記端末のCDRXパラメータが第1パラメータであり、かつ、前記サービス状態情報に基づいて前記ネットワークデバイスによって決定された前記端末のCDRXパラメータが第2パラメータである場合、前記ネットワークデバイスによって、前記端末の前記ネットワークパラメータを前記第1パラメータと前記第2パラメータとの間の小さい値に構成することを含む、端末。
【請求項１０】
前記測定モジュールは、全地球測位システムGPSモジュール、重力センサ、ジャイロスコープ、加速度センサ、近接センサ、及びカメラのモジュールの1又は任意の組み合わせを備える請求項9に記載の端末。
【請求項１１】
前記サービスモジュールによって測定された前記サービス状態情報は、前記端末の少なくとも1のサービスの開始情報及び前記端末の少なくとも1のサービスの停止情報の1又は任意の組み合わせを含む請求項9又は10に記載の端末。
【請求項１２】
前記インターフェースモジュールは、前記測定されたサービス状態情報及び速度情報を前記ネットワークデバイスに周期的に通知し、又はトリガ条件が満たされる場合、前記測定されたサービス状態情報及び速度情報を前記ネットワークデバイスに通知するように構成され、
前記トリガ条件は、前記端末の少なくとも1つのサービスが開始されること、前記端末の少なくとも1つのサービスが停止されること、及び前記端末の速度が設定閾値を超えることの1又は任意の組み合わせを含む、請求項9〜11のいずれか一項に記載の端末。
【請求項１３】
前記インターフェースモジュールはさらに、前記ネットワークデバイスによって送信された通知要求を受信するように構成され、前記通知要求は、前記端末に前記サービス状態情報及び前記速度情報を通知するように指示するために使用され、
前記インターフェースモジュールはさらに、通知応答を前記ネットワークデバイスに送信するように構成され、前記通知応答は、前記端末が前記通知要求を受信すること、及び/又は前記通知要求によって指示された通知動作が実行されるか否かを示すために使用される、請求項9〜12のいずれか一項に記載の端末。
【請求項１４】
ネットワークデバイスであって、
端末によって通知された前記端末とネットワークとの間のインタラクションのサービス状態情報及び前記端末の移動速度情報を受信するように構成されたインターフェースモジュールと、
前記サービス状態情報及び前記速度情報に基づいて前記端末のネットワークパラメータを構成するように構成された構成モジュールと
を備え、
前記ネットワークパラメータは、接続された間欠受信CDRXパラメータを含み、前記CDRXパラメータは、CDRXサイクルを含み、
前記構成モジュールは、もし、前記速度情報に基づいて前記構成モジュールによって決定された前記端末のCDRXパラメータが第1パラメータであり、かつ、前記サービス状態情報に基づいて前記構成モジュールによって決定された前記端末のCDRXパラメータが第2パラメータである場合、前記端末の前記ネットワークパラメータを前記第1パラメータと前記第2パラメータとの間の小さい値に構成するようにさらに構成された、ネットワークデバイス。
【請求項１５】
前記ネットワークパラメータは、サウンディングパラメータ、チャネル品質インジケータCQIパラメータ、及び周波数選択性チャネルの1又は任意の組み合わせをさらに含む、請求項14に記載のネットワークデバイス。
【請求項１６】
前記構成モジュールは、特に、
前記速度情報に基づいて前記端末の速度を決定し、静止状態における前記端末のサウンディングサイクルを増加させ、かつ第1設定閾値を超える速度を有する前記端末のサウンディングサイクルを減少させるように構成され、又は、
前記速度情報に基づいて前記端末の速度を決定し、第2設定閾値よりも小さい速度を有する前記端末のCDRXパラメータ又は休止端末のCDRXパラメータを増加させ、かつ前記第2設定閾値よりも大きい速度を有する前記端末のCDRXパラメータを減少させ又は前記CDRXパラメータを0に設定するように構成される
請求項15に記載のネットワークデバイス。
【発明の詳細な説明】
【技術分野】
【０００１】
本発明は、通信技術の分野に関し、特にサービス制御方法、端末、及びネットワークデバイスに関する。
【０００２】
本願は、2012年8月3日に出願された、発明の名称を“SERVICE CONTROL METHOD, TERMINAL, AND NETWORK DEVICE”とする、中国特許出願第201210275320.9号の優先権を主張するとともに、参照により、その全体がここに組み込まれる。
【背景技術】
【０００３】
スマートマルチメディア携帯電話の適用は広くなり、端末ユーザは、携帯電話によって提供される全てのタイプの通信及びマルチメディア機能をより頻繁に使用している。
【０００４】
従来では、端末は一般的に、例えば信号強度のパラメータのような無線周波数モジュールのパラメータをネットワークに送信し、その結果、前記ネットワークは、前記パラメータに基づいて端末のセルハンドオーバー又は伝送スケジューリングを実行していた。しかしながら従来では、ネットワークスループットが低く、かつ端末電力消費が大きい。
【発明の概要】
【課題を解決するための手段】
【０００５】
本発明の態様は、サービス制御方法と、端末と、ネットワークデバイスとを提供し、その結果、ネットワークスループットを改善し、かつ端末エネルギー消費量を減少させる。
【０００６】
一態様では、本発明の態様はサービス制御方法を提供し、前記方法は、
端末によって、サービス状態及び/又は速度を測定するステップと、
前記端末によって、前記端末とネットワークとの間のインタラクションの測定されたサービス状態情報及び/又は前記端末の移動速度情報をネットワークデバイスに通知するステップと
を含み、その結果、前記ネットワークデバイスは、前記サービス状態情報及び/又は前記速度情報に基づいて前記端末のネットワークパラメータを構成する。
【０００７】
本発明の態様は、サービス制御方法をさらに提供し、前記方法は、
ネットワークデバイスによって、端末によって通知された前記端末とネットワークとの間のインタラクションのサービス状態情報及び/又は前記端末の移動速度情報を受信するステップと、
前記ネットワークデバイスによって、前記サービス状態情報及び/又は前記速度情報に基づいて、前記端末のネットワークパラメータを構成するステップと
を含む。
【０００８】
別の態様では、本発明の態様は、インターフェースモジュールを備える端末をさらに提供し、かつ測定モジュール及びサービスモジュールの少なくとも1つをさらに備え、
前記サービスモジュールは、前記端末とネットワークとの間のインタラクションのサービス状態を測定するように構成され、
前記測定モジュールは、前記端末の移動速度を測定するように構成され、かつ、
前記インターフェースモジュールは、測定されたサービス状態情報及び/又は速度情報をネットワークデバイスに通知するように構成され、前記ネットワークデバイスは、前記サービス状態情報及び/又は前記速度情報に基づいて前記端末のネットワークパラメータを構成する。
【０００９】
本発明の態様はさらにネットワークデバイスを提供し、前記ネットワークデバイスは、
端末によって通知された前記端末とネットワークとの間のインタラクションのサービス状態情報、及び/又は前記端末の移動速度情報を受信するように構成されたインターフェースモジュールと、
前記サービス状態情報及び/又は前記速度情報に基づいて前記端末のネットワークパラメータを構成するように構成された構成モジュールと
を備える。
【００１０】
本発明の態様に提供されるサービス制御方法と、端末と、ネットワークデバイスとにおいて、前記端末は、そのサービス状態情報及び/又は速度情報を前記ネットワークデバイスに通知することができ、かつ、前記ネットワークデバイスは、前記情報に基づいて前記端末のネットワークパラメータを構成することができ、それによってネットワークスループットを改善し、かつ端末エネルギー消費量を減少させることができる。
【図面の簡単な説明】
【００１１】
本発明の実施形態又は従来技術における技術的解決策をより明確に説明するために、実施形態又は従来技術を説明するために必要な添付図面を、以下に簡潔に紹介する。当然ながら、以下の説明における添付図面は、本発明のいくつかの実施形態を示しており、当業者は、創造的努力なしに、これらの添付図面に従って、さらに他の図面を導き出すことができることは明らかである。
【００１２】
【図１】本発明の実施形態に基づくサービス制御方法のフローチャートである。
【図２】本発明の別の実施形態に基づくサービス制御方法のフローチャートである。
【図３】本発明のさらに別の実施形態に基づくサービス制御方法のフローチャートである。
【図４】本発明の実施形態に基づく端末の概略的構造図である。
【図５】実施形態に基づく端末のモジュール間のインタラクションのフローチャートである。
【図６】別の実施形態に基づく端末のモジュール間のインタラクションのフローチャートである。
【図７】本発明の実施形態に基づくネットワークデバイスの概略的構造図である。
【図８】本発明の別の実施形態に基づく端末の概略的構造図である。
【図９】本発明の別の実施形態に基づくネットワークデバイスの概略的構造図である。
【発明を実施するための形態】
【００１３】
本発明の実施形態の目的、技術的解決策、及び利点をより明確にするために、本発明の実施形態における技術的解決策を以下に明確かつ十分に本発明の添付図面を参照して説明する。明らかに、説明される実施形態は、本発明の実施形態の全てというよりはむしろ一部である。本発明の実施形態に基づいて創造的な努力なしに当業者によって取得される他の全ての実施形態は、本発明の保護範囲内であるものとする。
【００１４】
本願において説明される技術的解決策は、例えば、モバイル通信用グローバルシステム(GSM(登録商標), Global System for Mobile Communications)、符号分割多元接続(CDMA, Code Division Multiple Access)システム、時分割多重アクセス(TDMA, Time Division Multiple Access)システム、広帯域符号分割多元接続(WCDMA(登録商標), Wideband Code Division Multiple Access)システム、周波数分割多元接続(FDMA, Frequency Division Multiple Access)システム、直交周波数分割多元接続(OFDMA, Orthogonal Frequency-Division Multiple Access)システム、シングルキャリアFDMA(SC-FDMA)システム、汎用パケット無線サービス(GPRS, General Packet Radio Service)システム、ロングタームエボリューション(LTE, Long Term Evolution)システム、及び他のこれらのタイプの通信システムといった現在の2G及び3G通信システム及び次世代通信システムのような様々な通信システムに適用されてもよい。
【００１５】
これらの適用における端末、つまり、ユーザ装置は、無線端末又は有線端末であってもよい。前記無線端末は、音声及び/又はデータ接続をユーザに提供するデバイス、無線接続機能を有する携帯用デバイス、又は無線モデムに接続された別の処理デバイスを参照してもよい。前記無線端末は、無線アクセスネットワーク(例えばRAN, Radio Access Network)を介して1又は2以上のコアネットワークと通信してもよい。前記無線端末は、携帯電話(“セルラー”フォンとも呼ばれる)のような携帯端末であってもよく、かつ携帯端末を有するコンピュータは、無線アクセスネットワークと音声及び/又はデータを交換する例えばポータブル、ポケットサイズ、ハンドヘルド、コンピュータ内蔵、又は車両搭載型モバイル装置であってもよい。例えば、それは、パーソナル通信サービス(PCS, Personal Communication Service)システム、コードレス電話機、セッション開始プロトコル(SIP)電話、ワイヤレスローカルループ(WLL, Wireless Local Loop)ステーション、又はパーソナルデジタルアシスタント(PDA, Personal Digital Assistant)であってもよい。前記無線端末はさらに、システム、加入者ユニット(Subscriber Unit)、加入局(Subscriber Station)、モバイルステーション(Mobile Station)、携帯端末(Mobile)、遠隔ステーション(Remote Station)、アクセスポイント(Access Point)、リモート端末(Remote Terminal)、アクセス端末(Access Terminal)、ユーザ端末(User Terminal)、ユーザエージェント(User Agent)、ユーザデバイス(User Device)、又はユーザ装置(User Equipment)と呼ばれてもよい。
【００１６】
本願におけるネットワークデバイスは、例えば、基地局又は無線ネットワーク制御装置(Radio Network Controller, RNC)のような無線アクセスネットワーク(Radio Access Network, RAN)において独立して展開されるデバイスであってもよく、又は無線アクセスネットワーク上の前述のデバイスにおける機能モジュールであってもよい。
【００１７】
前記ネットワークデバイスは、例えばアクセスポイントのような基地局であってもよい。前記基地局は、アクセスネットワークにおけるエアインターフェースでの1又は2以上のセクタを介して無線端末と通信するデバイスを指すことができる。前記基地局は、受信された無線(over-the-air)フレーム及びIPパケットを相互に変換し、かつ無線端末と、アクセスネットワークの残りの部分との間のルータとして機能するように構成されてもよく、前記アクセスネットワークの残りの部分は、インターネットプロトコル(IP)ネットワークを含んでもよい。前記基地局は、エアインターフェースの属性の管理を調整してもよい。例えば、前記基地局は、GSM(登録商標)又はCDMAにおける基地局(BTS, Base トランシーバ Station)であってもよく、又はWCDMA(登録商標)における基地局(NodeB)であってもよく、かつさらにLTEにおける進化型NodeB(NodeB, eNB, 又はe-NodeB, evolved Node B)であってもよく、本願では限定しない。
【００１８】
さらに、用語の“システム”及び“ネットワーク”は、本願において同様の意味で頻繁に使用されてもよい。本願における用語“及び/又は”は、関連オブジェクトを説明するための対応関係のみを説明しており、3つの関係が存在する可能性があることを表している。例えば、A及び/又はBは、以下の3つの場合を表している。つまり、Aのみが存在する場合、A及びBの両方が存在する場合、Bのみが存在する場合を表している。さらに、本願における文字“/”は、一般的には関連オブジェクトの間の“又は”の関係を示している。
【００１９】
図1は、本発明の実施形態に基づくサービス制御方法のフローチャートである。図1に示されるように、前記方法は、以下のステップを含む。
【００２０】
S101:端末は、前記端末とネットワークとの間のインタラクションのサービス状態、及び/又は前記端末の移動速度を測定する。
【００２１】
S102:前記端末は、測定されたサービス状態情報及び/又は速度情報を、ネットワークデバイスに通知する。その結果、前記ネットワークデバイスは、前記サービス状態情報及び/又は前記速度情報に基づいて前記端末のネットワークパラメータを構成する。
【００２２】
可能な実装方式として、前記端末は、前記端末と前記ネットワークとの間のインタラクションの前記サービス状態、及び/又は前記端末の前記移動速度を能動的に測定してもよく、かつそのサービス状態情報、及び/又は速度情報を前記ネットワークデバイスに能動的に通知してもよい。
【００２３】
別の可能な実装方式として、前記端末はさらに、前記ネットワークデバイスによって要求される前記サービス状態及び/又は前記速度を測定してもよく、かつ前記測定されたサービス状態情報及び/又は速度情報を前記ネットワークデバイスに通知してもよい。
【００２４】
例えば、前記端末は、前記ネットワークデバイスによって送信された通知要求を受信してもよく、前記通知要求は、前記端末に前記サービス状態情報及び/又は前記速度情報を通知するように指示するために使用されてもよい。任意に、前記端末は、通知応答を前記ネットワークデバイスに送信してもよく、前記通知応答は、前記端末が前記通知要求を受信すること、及び/又は前記通知要求によって指示された通知動作が実行されるか否かを表すために使用される。
【００２５】
前記端末は、そのサービス状態及び/又は速度を、前記ネットワークデバイスによって送信された前記通知要求を受信した後に測定してもよい。任意に、前記端末の前記サービス状態情報は、以下の情報の1又は任意の組み合わせを含んでもよく、つまり、前記端末の少なくとも1のサービスの開始情報、前記端末の少なくとも1のサービスの停止情報、及び前記端末の少なくとも1のサービスのデータ量情報の1又は任意の組み合わせを含んでもよい。前記端末は、サービスモジュールを使用することによって、サービスの全てのタイプのサービス状態を測定してもよい。任意に、端末の前記速度情報は、例えば、全地球測位システム(Global Positioning System, GPS)、重力センサ、ジャイロスコープ、加速度センサ、近接センサ、及びカメラのような端末の速度測定モジュールを使用することによって測定されてもよい。異なるタイプの端末が速度を測定するための異なるモジュールを有することは理解でき、従って端末における速度測定機能を有するモジュールは、ここでひとつずつ記載しない。
【００２６】
任意に、前記端末は、前記測定されたサービス状態情報及び/又は速度情報を前記ネットワークデバイスに周期的に通知してもよい。
【００２７】
任意に、前記端末はさらに、イベントトリガリング方式で、前記測定されたサービス状態情報及び/又は速度情報を前記ネットワークデバイスに通知してもよい。つまり、トリガ条件が満たされる場合、前記端末は、前記測定されたサービス状態情報及び/又は速度情報を前記ネットワークデバイスに通知してもよい。前記トリガ条件は、以下の1又は任意の組み合わせを含んでもよい。つまり、前記端末の少なくとも1つのサービスが開始されること、前記端末の少なくとも1つのサービスが停止されること、及び前記端末のレートが設定閾値を超えることの1又は任意の組み合わせを含んでもよい。端末が実際の要件に基づいてトリガ条件を設定してもよいことは理解されうる。
【００２８】
任意に、前記端末によって、前記サービス状態情報及び/又は前記速度情報を通知するためのサイクル又はトリガ条件は、前記ネットワークデバイスによって決定されてもよく、かつ前記ネットワークデバイスは、前記通知要求で前記サイクル又は前記トリガ条件の情報を搬送する。
【００２９】
前記端末が前記サービス状態情報及び/又は前記速度情報をネットワークデバイスに通知した後、前記ネットワークデバイスは、前記端末の前記サービス状態情報に基づいて、又は前記サービス状態情報及び前記速度情報に基づいて前記端末のCDRXパラメータを構成する。前記ネットワークデバイスはさらに、端末の速度情報に基づいて、例えば接続された間欠受信(Connected Discontinuous Reception, CDRX)パラメータ、サウンディング(sounding)パラメータ、チャネル品質インジケータ(Channel quality indicator, CQI)パラメータ、及び周波数選択性チャネルのような前記端末のネットワークパラメータを構成してもよく、ネットワークスループットを改善し、かつ端末エネルギー消費量を減少させることができる。前記CDRXパラメータは、CDRX休眠サイクル(dormancy cycle)であってもよい。
【００３０】
任意に、前記端末はさらに、前記ネットワークデバイスによって送信された停止通知要求を受信してもよく、前記停止通知要求は、前記端末に前記サービス状態情報及び/又は前記速度情報を通知することを停止するよう指示するために使用される。前記停止通知要求を受信した後、前記端末は、前記サービス状態及び/又は前記速度を測定することを停止してもよく、その結果、前記サービス状態情報及び/又は前記速度情報を、ネットワークデバイスに通知することを停止する。
【００３１】
実施形態において提供されたサービス制御方法、端末、及びネットワークデバイスに基づいて前記端末は、そのサービス状態情報、及び/又は速度情報をネットワークデバイスに通知することができ、かつ前記ネットワークデバイスは、前記情報に基づいて前記端末のネットワークパラメータを構成することができ、それによって、ネットワークスループットを改善し、かつ端末エネルギー消費量を減少させることができる。
【００３２】
図2は、本発明の別の実施形態に基づくサービス制御方法のフローチャートである。図2に示されるように、前記方法は、以下のステップを含む。
【００３３】
S201:ネットワークデバイスは、端末によって通知された、前記端末とネットワークとの間のインタラクションのサービス状態情報及び/又は端末の移動速度情報を受信する。
【００３４】
S202:前記ネットワークデバイスは、前記サービス状態情報及び/又は前記速度情報に基づいて前記端末のネットワークパラメータを構成する。
【００３５】
可能な実装方式として、前記ネットワークデバイスは、通知要求を前記端末に送信してもよく、前記通知要求は、前記端末に前記サービス状態情報及び/又は前記速度情報を通知するように指示するために使用され、その結果、前記サービス状態情報及び/又は前記速度情報を測定し、かつ通知するよう前記端末をトリガすることができる。
【００３６】
任意に、前記通知要求を端末に送信した後、前記ネットワークデバイスは端末によって送信された通知応答を受信してもよく、前記通知応答は、前記端末が前記通知要求を受信すること、及び/又は前記通知要求によって指示された通知動作が実行されるか否かを表すために使用される。
【００３７】
任意に、前記ネットワークデバイスは、前記端末に対して前記サービス状態情報及び/又は前記速度情報を通知するためのサイクル又はトリガ条件を決定してもよく、かつ前記通知要求で前記サイクル又はトリガ条件を搬送してもよく、その結果、前記端末を、前記サービス状態情報及び/又は前記速度情報を通知するようトリガする。
【００３８】
前記端末によって通知された前記サービス状態情報及び/又は前記速度情報を受信した後、前記ネットワークデバイスは端末のネットワークパラメータを構成してもよい。任意に、ネットワークデバイスが前記サービス状態情報、又は端末によって通知された前記サービス状態情報及び前記速度情報を受信した場合、前記ネットワークパラメータは、接続された間欠受信CDRXパラメータであってもよく、かつ、もしネットワークデバイスが前記端末によって通知された速度情報を受信した場合、前記ネットワークパラメータは、以下の1又は任意の組み合わせを含んでもよく、つまり、接続された間欠受信CDRXパラメータ、サウンディングパラメータ、チャネル品質インジケータCQIパラメータ、及び周波数選択性チャネルの1又は任意の組み合わせを含んでもよい。
【００３９】
可能な実装方式として、端末エネルギー消費量を節約するために、ネットワークデバイスは、端末によって通知された速度情報に基づいて前記端末の前記CDRXパラメータを動的に構成してもよい。前記ネットワークはさらに、端末によって通知された速度情報に基づいて端末に対して十分な周波数選択性チャネル及びCQIパラメータを構成することができ、周波数選択アルゴリズムのパフォーマンスを保証することができる。
【００４０】
別の可能な実装方式として、前記ネットワークデバイスはさらに、前記速度情報に基づいて端末の速度を決定し、静止状態における前記端末のサウンディングサイクルを増加させ、かつ第1設定閾値を超える速度を有する前記端末のサウンディングサイクルを減少させる。従って、長いサウンディングサイクルが休止端末のために構成され、その結果、同一のベースバンド処理リソースを有するさらに多くのビームフォーミング(Beam Forming, BF)ユーザをサポートすることができ、又はサウンディング帯域幅を改善するとともにBFパフォーマンスを改善することができる。さらに、一定の閾値(第1設定閾値)を超える速度を有する端末については、これらのユーザのためのBFゲインはなく、かつ長いサウンディングサイクル及び小さいサウンディング帯域幅が割り当てられ(TA測定のみをサポートするために使用されてもよい)、その結果、サウンディングリソース消費量を節約することができる。
【００４１】
さらに別の可能な実装方式として、前記ネットワークデバイスはさらに、速度情報に基づいて前記端末の速度を決定し、第2設定閾値よりも小さい速度を有する前記端末のCDRXパラメータ又は前記休止端末のCDRXパラメータを増加させ、かつ前記第2設定閾値よりも大きい速度を有する前記端末のCDRXパラメータを減少させるか又は前記CDRXパラメータを0に設定してもよい。つまり、長いCDRXパラメータは、低速度又は休止端末のために構成されてもよく、かつ短いCDRXパラメータは、高速度端末のために使用されてもよく、さらに、前記端末はCDRX状態を終了するように制御されてもよい。
【００４２】
さらに別の可能な実装方式として、前記ネットワークデバイスはさらに、速度情報に基づいて前記端末の速度を決定し、かつ第3設定閾値よりも大きい速度を有する前記端末の前記周波数選択性チャネルを構成してもよい。つまり、前記端末に対して周波数選択性チャネルを構成するために、周波数選択アルゴリズムが低速度端末のために開始されてもよく、共通スケジューリングアルゴリズムが高速度端末に適合されてもよい。
【００４３】
前述の第1設定閾値、第2設定閾値、及び第3設定閾値は、特定の要件に基づいて設定されてもよく、前述の閾値は、同一であっても又は異なっていてもよい。
【００４４】
別の可能な実装方式として、前記ネットワークデバイスが端末によって通知された前記サービス状態情報及び前記速度情報に基づいて端末のネットワークパラメータを構成するシナリオでは、もし前記速度情報に基づいてネットワークデバイスによって決定された端末のCDRXパラメータが第1パラメータである場合、かつ、前記サービス状態情報に基づいて決定された端末のCDRXパラメータが第2パラメータである場合、前記ネットワークデバイスは、前記第1パラメータと前記第2パラメータとの間の小さい値に端末のネットワークパラメータを構成してもよい。
【００４５】
別の可能な実装方式として、前記ネットワークデバイスは、端末によって通知された異なるサービス状態情報に基づいて異なるCDRXパラメータを構成してもよい。例えば、160ms CDRXサイクルがインスタントメッセンジャー(Instant Messenger, IM)サービスのために構成されてもよく、かつ320ms CDRXサイクルがGmailサービスのようなEメールのために構成されてもよく、その結果、端末エネルギー消費量を節約することができる。
【００４６】
任意に、ネットワークデバイスはさらに、前記端末のネットワークパラメータを調整するために実際の要件に基づいて端末に停止通知要求を送信し、かつ前記停止通知要求を使用することによって、前記サービス状態情報及び/又は前記速度情報を通知することを停止するよう端末に指示してもよい。
【００４７】
実施形態において提供されるサービス制御方法に基づいて、端末はそのサービス状態情報、及び/又は速度情報をネットワークデバイスに通知することができ、かつ前記ネットワークデバイスは、前記情報に基づいて前記端末のネットワークパラメータを構成することができ、特に、例えば端末のCDRXパラメータ、サウンディングパラメータ、チャネル品質インジケータCQIパラメータ、及び周波数選択性チャネルのような前記端末のネットワークパラメータを構成することができ、それによってネットワークスループットを改善し、かつ端末エネルギー消費量を減少させることができる。
【００４８】
図3は、本発明のさらに別の実施形態に基づくサービス制御方法のフローチャートである。図3に示されるように、この実施形態は、実施シナリオを提供し、端末及びネットワークデバイスは、サービス制御方法を実施するために相互作用する。前記方法は以下のステップを含む。
【００４９】
S301:前記ネットワークデバイスは、通知要求を前記端末に送信する。前記通知要求は、サービス状態情報、及び/又は速度情報を通知するよう前記端末に指示するために使用される。
【００５０】
この実施形態の実施シナリオにおいて、前記端末はUEであり、かつ前記ネットワークデバイスはeNBであり、前記UEは正常に登録されており、かつ前記UEとパケットデータネットワークゲートウェイ(Packet Data Network Gateway, PGW)との間にデフォルトベアラが正常に確立される。
【００５１】
実施シナリオにおいて、前記UEと前記eNBとの間にデータチャネルが確立され、前記eNBによってUEに送信される通知要求は、ネットワークアクセスサーバ(Network Access Server, NAS)メッセージ(ハートビートサービスタイプクエリ及びオープンリクエスト(UE apptype request)メッセージ)であってもよく、ここでNASメッセージは、前記端末に前記サービス状態情報を通知するよう要求するために新たに定義されたメッセージであってもよい。NASメッセージを受信した後、無線リソース制御プロトコル(Radio Resource Control, RRC)層は、NAS層にNASメッセージを送信し、次いでNASメッセージを、NAS層を介してアプリケーション層(Application, APP)にメッセージを送信する。
【００５２】
別の実施シナリオにおいて、前記eNBによってUEに送信される通知要求はさらに、前記速度情報を通知するよう前記端末に要求するための、端末レート通知要求(UE Rate Report Request)であってもよい。同様に、NASメッセージを受信した後、RRC層は、NASメッセージをNAS層に送信し、次いで前記NASメッセージをAPP層にNAS層を介して送信する。
【００５３】
S302:前記端末は、通知応答を前記ネットワークデバイスに送信する。ここで、前記通知応答は、前記端末が前記通知要求を受信すること、及び/又は前記通知要求によって指示された通知動作が実行されるか否かを表すために使用される。
【００５４】
前記端末がUE apptype requestメッセージを受信するシナリオにおいて、前記端末が前記UE apptype requestを正常に受信し、かつ前記端末の前記サービス状態の測定の構成を実行し始めるとともに前記構成に基づいて前記測定を実行することを表すために、前記端末はサービスタイプクエリ及びオープン応答(UE apptype Response)メッセージをネットワークデバイスに送信してもよい。
【００５５】
同様に、前記端末がUE Rate Report Requestメッセージを受信するシナリオにおいて、前記端末は、端末レート通知応答(UE Rate Report Response)メッセージを前記ネットワークデバイスに送信してもよい。
【００５６】
S303:前記端末は、前記端末とネットワークとの間のインタラクションのサービス状態、及び/又は前記端末の移動速度を測定する。
【００５７】
S304:前記端末は、前記サービス状態情報及び/又は前記速度情報を前記ネットワークデバイスに通知する。
【００５８】
前記端末が端末の前記サービス状態情報及び/又は前記速度情報を受信した後、プライベートNASメッセージフォーマットが、前記サービス状態情報及び/又は前記速度情報を使用することによってNAS層に形成されてもよく、かつUE apptype通知NASメッセージを使用することによってネットワークデバイスに通知されてもよい。
【００５９】
S305:前記ネットワークデバイスは、前記サービス状態情報及び/又は前記速度情報に基づいて前記端末のネットワークパラメータを構成する。
【００６０】
S306:前記ネットワークデバイスは、停止通知要求を前記端末に送信する。前記停止通知要求は、前記端末に前記サービス状態情報及び/又は前記速度情報を通知することを停止するよう指示するために使用される。
【００６１】
S307:前記端末は、通知停止応答を前記ネットワークデバイスに送信する。前記通知停止応答は、前記端末が前記停止通知要求を受信することを表すために使用される。
【００６２】
前記ネットワークデバイスが、前記サービス状態情報及び/又は前記速度情報に基づいて、前記端末のネットワークパラメータを構成するプロセスについては、図2に示される実施形態の関連する説明を参照されたく、詳細はここでは省略する。
【００６３】
実施形態において提供されるサービス制御方法に基づいて、端末は、サービス状態情報及び/又は速度情報をネットワークデバイスに通知し、かつ前記ネットワークデバイスは、前記情報に基づいて、前記端末のネットワークパラメータの構成することができ、特に、例えば前記端末のCDRXパラメータ、サウンディングパラメータ、チャネル品質インジケータCQIパラメータ、及び周波数選択性チャネルのような端末のネットワークパラメータを構成することができ、それによって、ネットワークスループットを改善し、かつ端末エネルギー消費量を減少させることができる。
【００６４】
図4は、本発明の実施形態に基づく端末の概略的構造図である。図4に示されるように、前記端末は、インターフェースモジュール11を備え、さらに、測定モジュール12及びサービスモジュール13の少なくとも1つを備える。ここで、前記サービスモジュール13は、前記端末とネットワークとの間のインタラクションのサービス状態を測定するように構成され、前記測定モジュール12は、前記端末の移動速度を測定するように構成され、かつ前記インターフェースモジュール11は、測定されたサービス状態情報及び/又は速度情報をネットワークデバイスに通知するように構成され、その結果、前記ネットワークデバイスは、前記サービス状態情報及び/又は前記速度情報に基づいて前記端末のネットワークパラメータを構成することができる。
【００６５】
任意に、前記測定モジュール12は、以下のモジュールの1又は任意の組み合わせを備えてもよい。つまり、全地球測位システムGPSモジュール、重力センサ、ジャイロスコープ、加速度センサ、近接センサ、及びカメラのモジュールの1又は任意の組み合わせを備えてもよい。
【００６６】
任意に、前記サービスモジュール12によって測定されたサービス状態情報は、以下の情報の1又は任意の組み合わせを含んでもよい。つまり、前記端末の少なくとも1のサービスの開始情報、前記端末の少なくとも1のサービスの停止情報、及び前記端末の少なくとも1のサービスのデータ量情報の1又は任意の組み合わせを含んでもよい。
【００６７】
任意に、前記インターフェースモジュール11は、前記測定されたサービス状態情報及び/又は速度情報を前記ネットワークデバイスに周期的に通知し、又はトリガ条件が満たされる場合、測定されたサービス状態情報及び/又は速度情報をネットワークデバイスに通知するように構成されてもよい。
【００６８】
任意に、前記トリガ条件は以下の1又は任意の組み合わせを含んでもよい。つまり、前記端末の少なくとも1つのサービスが開始されること、前記端末の少なくとも1つのサービスが停止されること、及び前記端末のレートが設定閾値を超えることの1又は任意の組み合わせを含んでもよい。
【００６９】
任意に、前記インターフェースモジュール11はさらに、前記ネットワークデバイスによって送信された通知要求を受信するように構成されてもよく、前記通知要求は、前記端末に前記サービス状態情報及び/又は前記速度情報を通知するよう指示するために使用される。
【００７０】
任意に、前記インターフェースモジュール11はさらに、通知応答を前記ネットワークデバイスに送信するように構成されてもよく、前記通知応答は、前記端末が前記通知要求を受信すること、及び/又は前記通知要求によって指示された通知動作が実行されるか否かを表すために使用される。
【００７１】
任意に、前記インターフェースモジュール11はさらに、前記ネットワークデバイスによって送信された停止通知要求を受信するように構成されてもよく、前記停止通知要求は、前記端末に前記サービス状態情報及び/又は前記速度情報を通知することを停止するよう指示するために使用される。
【００７２】
それに対応して、前記サービスモジュール13はさらに、前記端末の前記サービス状態を測定することを停止するように構成されてもよく、かつ前記測定モジュール12は、前記端末の速度を測定することを停止するように構成されてもよい。
【００７３】
図5は、実施形態に基づく端末のモジュール間のインタラクションのフローチャートである。図5に示されるように、この実施形態は、測定を実行するためにインターフェースモジュールが測定モジュールを制御するプロセスを提供する。該プロセスは、特に以下のステップを含む。
【００７４】
S501:前記インターフェースモジュールは、ネットワークデバイスによって送信された通知要求を受信する。
【００７５】
前記インターフェースモジュールは、アイドル(idle)状態の初期状態を有する端末においてレジデントダンプ(resident Dump)モジュールであってもよい。前記アイドル状態において、前記インターフェースモジュールは、例えばeNBのような前記ネットワークデバイスによって送られた前記通知要求を受信してもよい。ここで前記通知要求は、プライベートNASメッセージであってもよい。NASメッセージを処理した後、前記インターフェースモジュールは、アイドル状態に戻ってもよい。
【００７６】
S502:前記インターフェースモジュールは、開始及び測定指示メッセージを前記測定モジュールに送る。
【００７７】
S503:前記測定モジュールが開始され、かつ前記端末の移動速度を周期的に測定する。
【００７８】
前記測定モジュールは、測定状態に入ってもよく、かつ開始及び測定指示メッセージを示すプライベートNASを解決する。前記開始及び測定指示メッセージは、周期的な測定のサイクル長を含んでもよい。
【００７９】
S504:前記測定モジュールは、前記端末の速度情報を前記インターフェースモジュールに周期的に通知する。
【００８０】
S505:前記インターフェースモジュールは、前記端末の速度情報を前記ネットワークデバイスに、周期的に又はトリガ条件が満たされるときに通知する。
【００８１】
前記測定モジュールによって通知された端末の速度情報を受信した後、前記インターフェースモジュールは通知処理状態に入ってもよく、かつプライベートNASメッセージを使用して端末の速度情報を前記ネットワークデバイスに、周期的に又はトリガ条件が満たされるときに通知してもよい。
【００８２】
S506:前記インターフェースモジュールは、前記ネットワークデバイスによって送信された停止通知要求を受信する。
【００８３】
S507:前記インターフェースモジュールは、開始及び測定停止指示メッセージを前記測定モジュールに送る。
【００８４】
S508:前記測定モジュールは終了する。
【００８５】
S509:前記測定モジュールは、前記測定モジュールが正常に終了したことを前記インターフェースモジュールに通知する。
【００８６】
S510:前記インターフェースモジュールは、通知停止応答を前記ネットワークデバイスに通知する。
【００８７】
図6は、別の実施形態に基づく端末のモジュール間のインタラクションのフローチャートである。図6に示されるように、この実施形態は、インターフェースモジュールが測定を実行するためにサービスモジュールを制御するプロセスを提供する。特に以下のプロセスを含む。
【００８８】
S601:前記インターフェースモジュールは、ネットワークデバイスによって送信された通知要求を受信する。
【００８９】
S602:前記インターフェースモジュールは、開始及び測定指示メッセージを前記サービスモジュールに送る。
【００９０】
S603:前記サービスモジュールが開始され、かつ前記端末とネットワークとの間のインタラクションのサービス状態を周期的に測定する。
【００９１】
S604:前記サービスモジュールは、前記端末のサービス状態情報を前記インターフェースモジュールに周期的に通知する。
【００９２】
S605:前記インターフェースモジュールは、前記端末の前記サービス状態情報を前記ネットワークデバイスに、周期的又はトリガ条件が満たされるときに通知する。
【００９３】
S606:前記インターフェースモジュールは、前記ネットワークデバイスによって送信された停止通知要求を受信する。
【００９４】
S607:前記インターフェースモジュールは、開始及び測定停止指示メッセージを前記サービスモジュールに送る。
【００９５】
S608:前記サービスモジュールは、前記端末の前記サービス状態情報を測定することを停止する。
【００９６】
S609:前記サービスモジュールは、前記測定モジュールが正常に終了したことを前記インターフェースモジュールに通知する。
【００９７】
S610:前記インターフェースモジュールは、通知停止応答を前記ネットワークデバイスに通知する。
【００９８】
S601からS610のプロセスは、S501からS510のプロセスと同様であり、S501からS510の関連する説明を参照されたく、詳細はここでは省略する。
【００９９】
前記実施形態において提供される端末は、本発明の実施形態において提供されるサービス制御方法に対応し、かつ該サービス制御方法を実行するためのデバイスである。前記端末が前記サービス制御方法を実行する特定のプロセスについては、図1及び図3に示される方法の実施形態を参照されたく、詳細はここでは省略する。
【０１００】
実施形態において提供される端末は、そのサービス状態情報及び/又は速度情報をネットワークデバイスに通知することができ、かつ前記ネットワークデバイスは、前記情報に基づいて前記端末のネットワークパラメータを構成することができ、それによって、ネットワークスループットを改善し、かつ端末エネルギー消費量を減少させることができる。
【０１０１】
図7は、本発明の実施形態に基づくネットワークデバイスの概略的構造図である。図7に示されるように、前記ネットワークデバイスは、インターフェースモジュール21及び構成モジュール22を備える。ここで、前記インターフェースモジュール21は、端末によって通知された前記端末とネットワークとの間のインタラクションのサービス状態情報及び/又は前記端末の移動速度情報を受信するように構成される。さらに、前記構成モジュール22は、前記サービス状態情報及び/又は前記速度情報に基づいて、前記端末のネットワークパラメータを構成するように構成される。
【０１０２】
任意に、前記インターフェースモジュール21が、前記端末によって通知されたサービス状態情報、又は前記サービス状態情報及び前記速度情報を受信する場合、前記ネットワークパラメータは、接続された間欠受信CDRXパラメータである。さらに、前記インターフェースモジュール21が、前記端末によって通知された前記速度情報を受信する場合、前記ネットワークパラメータは、以下の1又は任意の組み合わせを含んでもよく、つまり、CDRXパラメータ、サウンディングパラメータ、チャネル品質インジケータCQIパラメータ、及び周波数選択性チャネルの1又は任意の組み合わせを含んでもよい。
【０１０３】
任意に、前記構成モジュール22は特に、前記速度情報に基づいて前記端末の速度を決定し、静止状態における前記端末のサウンディングサイクルを増加させ、かつ第1設定閾値を超える速度を有する前記端末のサウンディングサイクルを減少させるように構成されてもよく、又は、
前記速度情報に基づいて前記端末の速度を決定し、第2設定閾値よりも小さい速度を有する前記端末若しくは休止端末のCDRXパラメータ増加させ、かつ前記第2設定閾値よりも大きい速度を有する前記端末のCDRXパラメータを減少させ若しくは前記CDRXパラメータを0に設定するように構成されてもよく、又は、
前記速度情報に基づいて前記端末の速度を決定し、かつ第3設定閾値よりも大きい速度を有する前記端末の前記周波数選択性チャネルを構成するように構成されてもよい。
【０１０４】
任意に、前記構成モジュール22は特に、前記端末の前記サービス状態情報に基づいて前記端末の前記CDRXパラメータを構成するように構成されてもよい。
【０１０５】
任意に、前記構成モジュール22は特に、前記速度情報に基づいて決定された端末のCDRXパラメータが第1パラメータであり、かつ、前記サービス状態情報に基づいて決定された前記端末のCDRXパラメータが第2パラメータである場合、前記端末のネットワークパラメータを第1パラメータと第2パラメータとの間の小さい値に構成する。
【０１０６】
任意に、前記インターフェースモジュール21はさらに、通知要求を前記端末に送信するように構成されてもよく、前記通知要求は、前記端末に前記サービス状態情報及び/又は前記速度情報を通知するように指示するために使用される。
【０１０７】
任意に、前記インターフェースモジュール21さらに、前記端末によって送信された通知応答を受信するように構成されてもよく、前記通知応答は、前記端末が前記通知要求を受信すること、及び/又は前記通知要求によって指示された通知動作が実行されるか否かを表すために使用される。
【０１０８】
任意に、前記インターフェースモジュール21さらに、停止通知要求を前記端末に送信するように構成されてもよく、前記停止通知要求は、前記端末に前記サービス状態情報及び/又は前記速度情報を通知することを停止するよう指示するために使用される。
【０１０９】
前記実施形態において提供されたネットワークデバイスは、本発明の実施形態において提供されたサービス制御方法に対応し、かつ該サービス制御方法を実行するためのデバイスである。前記ネットワークデバイスがサービス制御方法を実行する具体的なプロセスについては、図2及び図3に示される方法の実施形態を参照されたく、詳細はここでは省略すする。
【０１１０】
前記実施形態において提供されるネットワークデバイスに基づいて、端末はサービス状態情報及び/又は速度情報を前記ネットワークデバイスに通知することができ、かつ前記ネットワークデバイスは、前記情報に基づいて前記端末のネットワークパラメータを構成することができ、特に、例えば前記端末のCDRXパラメータ、サウンディングパラメータ、チャネル品質インジケータCQIパラメータ、及び周波数選択性チャネルのような端末のネットワークパラメータを構成することができ、それによって、ネットワークスループットを改善し、かつ端末エネルギー消費量を減少させることができる。
【０１１１】
図8は、本発明の別の実施形態に基づく端末の概略的構造図である。図8に示されるように、前記端末は、図1及び図3において提供されるサービス制御方法を実施するために使用されてもよい。前記端末は、測定器31と、プロセッサ32と、トランシーバ33とを備えてもよい。
【０１１２】
前記測定器31は、前記プロセッサ32の制御の下、前記端末とネットワークとの間のインタラクションのサービス状態及び/又は前記端末の移動速度を測定し、測定されたサービス状態情報及び/又は速度情報を、前記プロセッサ32に送信するように構成される。
【０１１３】
前記プロセッサ32は、前記サービス状態及び/又は前記速度を測定するために前記測定器31を制御し、前記測定器31によって測定された前記サービス状態情報及び/又は前記速度情報をネットワークデバイスに通知するためにトランシーバ33を制御するように構成される。
【０１１４】
さらに、前記トランシーバ33は、前記プロセッサ32の制御の下、前記サービス状態情報及び/又は前記速度情報を前記ネットワークデバイスに通知するように構成され、その結果、前記ネットワークデバイスは、前記サービス状態情報及び/又は前記速度情報に基づいて前記端末のネットワークパラメータを構成することができる。
【０１１５】
任意に、前記測定器31は、以下のモジュールの1又は任意の組み合わせを備えてもよく、つまり、全地球測位システムGPSモジュール、重力センサ、ジャイロスコープ、加速度センサ、近接センサ、及びカメラの1又は任意の組み合わせを備えてもよい。
【０１１６】
任意に、前記サービス状態情報は、以下の情報の1又は任意の組み合わせを含んでもよく、つまり、前記端末の少なくとも1のサービスの開始情報、前記端末の少なくとも1のサービスの停止情報、及び前記端末の少なくとも1のサービスのデータ量情報の1又は任意の組み合わせを含んでもよい。
【０１１７】
任意に、前記プロセッサ32は特に、前記測定されたサービス状態情報及び/又は速度情報を前記ネットワークデバイスに周期的に通知するために前記トランシーバ33を制御し、又はトリガ条件が満たされる場合、前記測定されたサービス状態情報及び/又は速度情報を前記ネットワークデバイスに通知するために前記トランシーバ33を制御するように構成されてもよい。
【０１１８】
任意に、前記トリガ条件は、以下の1又は任意の組み合わせを含んでもよく、つまり、前記端末の少なくとも1つのサービスが開始されること、前記端末の少なくとも1つのサービスが停止されること、及び前記端末のレートが設定閾値を超えることの1又は任意の組み合わせを含んでもよい。
【０１１９】
任意に、前記トランシーバ33はさらに、前記ネットワークデバイスによって送信された通知要求を受信し、かつ前記通知要求を前記プロセッサ32に送信するように構成されてもよく、前記通知要求は、前記端末に前記サービス状態情報及び/又は前記速度情報を通知するように指示するために使用される。
【０１２０】
それに対応して、前記プロセッサ32はさらに、前記通知要求に基づいて前記サービス状態及び/又は前記速度を測定するために測定器31を制御するように構成されてもよく、かつ通知応答を前記ネットワークデバイスに送信するために前記トランシーバ33を制御するようにさらに構成されてもよく、前記通知応答は、前記端末が前記通知要求を受信すること及び/又は前記通知要求によって指示された通知動作が実行されるか否かを表すために使用される。
【０１２１】
前記トランシーバ33はさらに、前記プロセッサ32の制御の下、通知応答を前記ネットワークデバイスに送信するように構成されてもよい。
【０１２２】
任意に、前記トランシーバ33はさらに、前記ネットワークデバイスによって送信された停止通知要求を受信し、前記停止通知要求をプロセッサ32に送信するように構成されてもよく、前記停止通知要求は、前記端末に前記サービス状態情報及び/又は前記速度情報を通知することを停止するよう指示するために使用される。
【０１２３】
それに対応して、前記プロセッサ32はさらに、前記停止通知要求に基づいて、前記端末の前記サービス状態を測定することを停止するために測定器31を制御するように構成されてもよく、かつ前記測定器31はさらに、前記プロセッサ32の制御の下、状態情報及び/又は前記端末の速度を測定することを停止するように構成されてもよい。
【０１２４】
前記実施形態において提供された端末は、本発明の実施形態において提供されたサービス制御方法に対応し、かつ該サービス制御方法を実行するためのデバイスである。前記端末が前記サービス制御方法を実行する具体的なプロセスについては図1及び図3に示される方法の実施形態を参照されたく、詳細はここでは省略する。
【０１２５】
前記実施形態において提供される端末は、そのサービス状態情報及び/又は速度情報をネットワークデバイスに通知することができ、かつ前記ネットワークデバイスは、前記情報に基づいて前記端末のネットワークパラメータを構成することができ、それによって、ネットワークスループットを改善し、かつ端末エネルギー消費量を減少させることができる。
【０１２６】
図9は、本発明の別の実施形態に基づくネットワークデバイスの概略的構造図である。図9に示されるように、前記ネットワークデバイスは、トランシーバ41及びプロセッサ42を備える。
【０１２７】
前記トランシーバ41は、端末によって通知された前記端末とネットワークとの間のインタラクションのサービス状態情報及び/又は前記端末の移動速度情報を受信するように構成される。
【０１２８】
また、前記プロセッサ42は、サービス状態情報及び/又は速度情報に基づいて、前記端末のネットワークパラメータを構成するように構成される。
【０１２９】
任意に、もし前記トランシーバ41が前記端末によって通知された前記サービス状態情報、又は前記サービス状態情報及び前記速度情報を受信する場合、前記ネットワークパラメータは、接続された間欠受信CDRXパラメータであってもよく、かつ、
もし前記トランシーバ41が前記端末によって通知された前記速度情報を受信する場合、前記ネットワークパラメータは、以下の1又は任意の組み合わせを含んでもよく、つまり、CDRXパラメータ、サウンディングパラメータ、チャネル品質インジケータCQIパラメータ、及び周波数選択性チャネルの1又は任意の組み合わせを含んでもよい。
【０１３０】
任意に、前記プロセッサ42は特に、前記速度情報に基づいて前記端末の速度を決定し、静止状態における前記端末のサウンディングサイクルを増加させ、かつ第1設定閾値を超える速度を有する前記端末のサウンディングサイクルを減少させるように構成されてもよく、又は
前記速度情報に基づいて前記端末の速度を決定し、第2設定閾値よりも小さい速度を有する前記端末のCDRXパラメータ又は休止端末のCDRXパラメータを増加させ、かつ前記第2設定閾値よりも大きい速度を有する前記端末のCDRXパラメータを減少させ又は前記CDRXパラメータを0に設定するように構成されてもよく、又は
前記速度情報に基づいて前記端末の速度を決定し、かつ第3設定閾値よりも大きい速度を有する前記端末の前記周波数選択性チャネルを構成するように構成されてもよい。
【０１３１】
任意に、前記プロセッサ42は特に、前記端末のサービス状態情報に基づいて、前記端末の前記CDRXパラメータを構成するように構成されてもよい。
【０１３２】
任意に、前記プロセッサ42は、もし前記速度情報に基づいて決定された端末のCDRXパラメータが第1パラメータである場合、かつ、前記サービス状態情報に基づいて決定された端末のCDRXパラメータが第2パラメータである場合、前記端末のネットワークパラメータを前記第1パラメータと第2パラメータとの間の小さい値に構成するように構成されてもよい。
【０１３３】
任意に、前記トランシーバ41はさらに、通知要求を前記端末に送信するように構成されてもよく、前記通知要求は、前記サービス状態情報及び/又は前記速度情報を通知するよう前記端末に指示するために使用される。
【０１３４】
任意に、前記トランシーバ41はさらに、前記端末によって送信された通知応答を受信するように構成されてもよく、前記通知応答は、前記端末が前記通知要求を受信すること及び/又は前記通知要求によって指示された通知動作が実行されるか否かを表すために使用される。
【０１３５】
任意に、前記トランシーバ41はさらに、停止通知要求を前記端末に送信するように構成されてもよく、前記停止通知要求は、前記端末に前記サービス状態情報及び/又は前記速度情報を通知することを停止するよう指示するために使用される。
【０１３６】
前記実施形態において提供されたネットワークデバイスは、本発明の実施形態において提供された前記サービス制御方法に対応し、かつ該サービス制御方法を実行するためのデバイスである。前記ネットワークデバイスが前記サービス制御方法を実行する具体的なプロセスについては図2及び図3に示される方法の実施形態を参照されたく、詳細はここでは省略する。
【０１３７】
前記実施形態において提供される前記ネットワークデバイスに基づいて、端末は、そのサービス状態情報及び/又は速度情報を前記ネットワークデバイスに通知することができ、かつ前記ネットワークデバイスは、前記情報に基づいて前記端末のネットワークパラメータを構成することができ、特に、例えば前記端末のCDRXパラメータ、サウンディングパラメータ、チャネル品質インジケータCQIパラメータ、及び周波数選択性チャネルのような端末のネットワークパラメータを構成することができ、それによって、ネットワークスループットを改善し、かつ端末エネルギー消費量を減少させることができる。
【０１３８】
便利にかつ簡潔に説明することを目的として、上記の機能モジュールの一部のみが示されているということは当業者によって明確に理解され得る。必要に応じて、実際の適用において、上述の機能は実装のために異なる機能モジュールに割り当てられることが可能である。すなわち、装置の内部構造は、上述の機能の全て又は一部を実装するために異なる機能モジュールに分割される。前述のシステム、装置、及びユニットの詳細な動作プロセスは、前述の方法の実施形態における対応するプロセスを参照されたく、詳細はここでは省略する。
【０１３９】
本願で提供されるいくつかの実施形態において、開示されるシステム、装置、及び方法は、他の方式で実装されてもよいことが理解されるべきである。例えば、説明した装置の実施形態は単なる例示である。例えば、モジュールやユニット部は、単なる論理的機能部であり、かつ実際の実装における他の部分であってもよい。例えば、複数のユニット又は構成要素が、別のシステムに組み合わされ又は統合されてもよく、又はいくつかの特徴が無視され又は実行されなくてもよい。さらに、描写されあるいは説明された相互接続若しくは直接接続又は通信接続は、いくつかのインタフェースを介して実装されてもよい。装置又はユニットとの間の間接接続又は通信接続は、電気的に、機械的に、又は他の形式で実装されてもよい。
【０１４０】
別の部分として説明されるユニットは、物理的に別々であってもなくてもよく、かつユニットとして表示される部分は、物理的にユニットであってもなくてもよく、１つの位置に位置してもよく、又は複数のネットワークユニットに分散されてもよい。前記ユニットの一部又は全ては、実際の必要に応じて選択され、実施形態の解決策の目的を達成してもよい。
【０１４１】
さらに、本願の実施形態における機能ユニットは、１つの処理ユニットに統合されてもよく、又はそれぞれのユニットは物理的に単独で存在してもよく、又は2又は3以上のユニットが１つのユニットに統合されてもよい。前記統合されたユニットは、ハードウェアの形式で実装されてもよく、又はソフトウェア機能ユニットの形式で実装されてもよい。
【０１４２】
前記統合されたユニットが、ソフトウェア機能ユニットの形式で実装されるとともに販売され、又は独立した製品として使用されるとき、前記統合されたユニットは、コンピュータ可読記憶媒体に記憶されてもよい。このような理解に基づいて、本質的に、本願の技術的解決策、又は従来技術に貢献する一部、又は技術的解決策の全て又は一部は、ソフトウェア製品の形式で実装されてもよい。前記ソフトウェア製品は、記憶媒体に記憶され、かつコンピュータデバイス(パーソナルコンピュータ、サーバ、又はネットワークデバイスであってもよい)又はプロセッサに指示し、本願の実施形態において説明された方法のステップの全て又は一部を実行するための幾つかの命令を含む。前述の記憶媒体は、例えば、USBフラッシュメモリ、リムーバブルハードディスク、読出し専用メモリ(ROM, Read-Only Memory)、ランダムアクセスメモリ(RAM, Random Access Memory)、磁気ディスク、又は光ディスクのような、プログラムコードを記憶することができる任意媒体を含む。
【０１４３】
前述の実施形態は、本願を限定することよりはむしろ本願の技術的解決策を説明することを意図しているだけである。本願は、前述の実施形態を参照して詳細に説明されたが、当業者は、本願の実施形態の技術的解決策の精神及び範囲から逸脱しないで、前述の実施形態に説明された技術的解決策をさらに修正し、又はその幾つかの技術的特徴に均等な置換を行うことができるということは理解すべきである。
【符号の説明】
【０１４４】
１１  インターフェースモジュール
１２  測定モジュール
１３  サービスモジュール
２１  インターフェースモジュール
２２  構成モジュール
３１  測定器
３２  プロセッサ
３３  トランシーバ
４１  プロセッサ
４２  トランシーバ
【図１】
0005969705.tif 000002
【図２】
0005969705.tif 000003
【図３】
0005969705.tif 000004
【図４】
0005969705.tif 000005
【図５】
0005969705.tif 000006
【図６】
0005969705.tif 000007
【図７】
0005969705.tif 000008
【図８】
0005969705.tif 000009
【図９】
0005969705.tif 000010